(57)【要約】  船舶廃棄物処理設備１は、乾燥廃棄物及び含水廃棄物の処理が意図とされている。設備は、少なくとも１つの廃棄物受入ユニット２、３と、少なくとも１つの廃棄物運搬手段４と、少なくとも１つの焼却炉ユニット６とを備える。効率液な廃棄物処理過程を達成するために、設備は、乾燥廃棄物及び含水廃棄物のための別々の廃棄物受入ユニット２、３を備える。乾燥廃棄物及び含水廃棄物は、廃棄物運搬手段４へと別々に供給され、次に、双対廃棄物供給スクリュー４１によって混合され、双対廃棄物供給スクリュー４１は、廃棄混合物を焼却炉ユニット６へと供給する。
2017510780.tif 000002
【特許請求の範囲】
【請求項１】
乾燥廃棄物及び含水廃棄物の処理のために意図された、少なくとも１つの廃棄物受入ユニット（２、３）と、少なくとも１つの廃棄物運搬手段（４）と、入口（６１）を備える少なくとも１つの焼却炉ユニット（６）とを備える船舶用廃棄物処理設備（１）であって、
前記設備（１）が、乾燥廃棄物のための第１の廃棄物受入ユニット（２）と、含水廃棄物のための第２の廃棄物受入ユニット（３）とを備え、
前記少なくとも１つの廃棄物運搬手段（４）が、乾燥廃棄物を前記第１の廃棄物受入ユニットから受け入れ、含水廃棄物を前記第２の廃棄物受入ユニットから受け入れるように配置された双対廃棄物供給スクリュー（４１）を備え、
前記双対廃棄物供給スクリュー（４１）が、前記焼却炉ユニット（６）の前記入口（６１）に連結されている
ことを特徴とする船舶用廃棄物処理設備。
【請求項２】
前記第１の廃棄物受入ユニット（２）が、乾燥廃棄物シュート（２１）を用いて前記廃棄物運搬手段（４）へと連結され、前記第２の廃棄物受入ユニット（３）が、含水廃棄物シュート（３１）を用いて前記廃棄物運搬手段（４）へと連結されていることを特徴とする、請求項１に記載の廃棄物処理設備。
【請求項３】
前記廃棄物運搬手段（４）が駆動ユニット（４３）を備えることを特徴とする、請求項１又は２に記載の廃棄物処理設備。
【請求項４】
前記廃棄物運搬手段（４）の前記双対廃棄物供給スクリュー（４１）がパドル（４２）を備えることを特徴とする、請求項１又は２に記載の廃棄物処理設備。
【請求項５】
前記焼却炉ユニット（６）が、前記焼却炉ユニット（６）の内部であって、前記焼却炉ユニット（６）の入口（６１）の後であって、前記双対廃棄物供給スクリュー（４１）の下流に配置された移動格子（７）を備えることを特徴とする、請求項１に記載の廃棄物処理設備。
【請求項６】
前記移動格子（７）が、いくつかの格子要素（７１）を含む階段状の構成を有することを特徴とする、請求項５に記載の廃棄物処理設備。
【請求項７】
前記移動格子（７）の所与の数の前記格子要素（７１）が、前記移動格子（７）の長手方向において往復して移動可能であることを特徴とする、請求項６に記載の廃棄物処理設備。
【請求項８】
前記移動格子（７）の所与の数の前記格子要素（７１）が、前記移動格子（７）の長手方向において空気を吹くための手段を備えることを特徴とする、請求項６又は７に記載の廃棄物処理設備。
【請求項９】
前記空気を吹くための手段がノズル（７２）の形態であることを特徴とする、請求項８に記載の廃棄物処理設備。
【請求項１０】
少なくとも１つの廃棄物受入ユニット（２、３）において回収された後、少なくとも１つの廃棄物運搬手段（４）を用いて少なくとも１つの焼却炉ユニット（６）へと供給される廃棄物を、船舶廃棄物処理設備において処理するための方法において、
乾燥廃棄物が、乾燥廃棄物のための第１の廃棄物受入ユニット（２）において回収され、
含水廃棄物が、含水廃棄物のための第２の廃棄物受入ユニット（３）において回収され、
前記第１の廃棄物受入ユニット（２）からの乾燥廃棄物と前記第２の廃棄物受入ユニット（３）からの含水廃棄物とが、双対廃棄物供給スクリュー（４１）を含む廃棄物運搬手段（４）へと供給され、
混合された乾燥廃棄物及び含水廃棄物が、前記廃棄物運搬手段（４）によって前記焼却炉ユニット（６）へと供給される
ことを特徴とする方法。
【請求項１１】
乾燥廃棄物が、乾燥廃棄物シュート（２１）を用いて前記廃棄物運搬手段（４）へと供給され、含水廃棄物が、含水廃棄物シュート（３１）を用いて前記廃棄物運搬手段（４）へと供給されることを特徴とする、請求項１０に記載の方法。
【請求項１２】
乾燥廃棄物及び含水廃棄物が、混合された乾燥廃棄物及び含水廃棄物を前記焼却炉ユニット（６）へと供給するために、前記廃棄物運搬手段（４）を用いて混合されることを特徴とする、請求項１１に記載の方法。
【請求項１３】
前記焼却炉ユニット（６）において、前記混合された乾燥廃棄物及び含水廃棄物が移動格子（７）へと供給されることを特徴とする、請求項１０に記載の方法。
【請求項１４】
前記混合された乾燥廃棄物及び含水廃棄物が、前記移動格子（７）の前進移動によって、前記移動格子（７）に沿って前進させられることを特徴とする、請求項１３に記載の方法。
【請求項１５】
前記移動格子（７）が、いくつかの格子要素（７１）を含む階段状の構成を備え、前記移動格子の前進移動が、所与の数の前記格子要素（７１）を、前記移動格子（７）の長手方向における往復移動に設定することによって達成されることを特徴とする、請求項１４に記載の方法。
【請求項１６】
前記移動格子（７）が、いくつかの格子要素（７１）を含む階段状の構成を備え、空気が、所与の数の前記格子要素（７１）から前記混合された廃棄物へと、前記移動格子（７）の長手方向において吹かれることを特徴とする、請求項１４又は１５に記載の方法。
【請求項１７】
乾燥廃棄物及び含水廃棄物が同時に処理されることを特徴とする、請求項１０に記載の方法。
【発明の詳細な説明】
【技術分野】
【０００１】
本発明は、請求項１の前提部による、乾燥廃棄物及び含水廃棄物の処理のために意図された、少なくとも１つの廃棄物受入ユニットと、少なくとも１つの廃棄物運搬手段と、少なくとも１つの焼却炉ユニットとを備える船舶用廃棄物処理設備に関する。本発明は、請求項１０の前提部による廃棄物を処理するための方法にも関する。
【背景技術】
【０００２】
様々な廃棄物処理設備が先行技術から知られている。典型的な廃棄物処理設備は、特には食品廃棄物などの含水廃棄物を処理することについては、廃棄物供給ホッパを備え、その廃棄物供給ホッパから、含水廃棄物が、焼却炉内へと導く運搬スクリューへと供給される。含水廃棄物を燃焼することができるようにするために、含水廃棄物は、最初に十分な度合いまで乾燥される必要がある。乾燥は、含水廃棄物が、運搬スクリューに沿って前進されていくとき、しばしば複数の段階で乾燥され得るように焼却炉内に少なくとも一部配置されている運搬スクリューを有することで、達成される。次に、乾燥された含水廃棄物は、例えば、最終的な燃焼のための流動床へと供給される。
【０００３】
このような廃棄物処理設備は、例えば、特許文献１〜５から知られている。
【０００４】
特許文献６に開示されている別の公知の解決策では、含水廃棄物は、廃棄物が回転及び乾燥される第１の室の受入表面へと、スクリュー・コンベヤによって供給され、それによって、乾燥された廃棄物が燃焼のための第２の室へと引き続き供給される。
【０００５】
特許文献７は、船に搭載して配置された廃棄物燃焼構成を開示している。この公知の構成は、乾燥廃棄物の処理だけが意図されている。
【０００６】
廃棄物処理のための公知の解決策は、最初に廃棄物を乾燥し、続いて廃棄物を燃焼するための別々のステップを必要とする。設備は複雑であり、エネルギーを大きく消費する。また、公知の設備は比較的大きく、したがって大きな空間を必要とする。
【先行技術文献】
【特許文献】
【０００７】
【特許文献１】欧州特許第１３８４９４８号明細書
【特許文献２】特開昭６０−１５２８１０号公報
【特許文献３】特開昭５７−１１７７２２号公報
【特許文献４】特開２０００−２５７８２９号公報
【特許文献５】特開平０９−３１８０３１号公報
【特許文献６】特開昭５６−０２５６０８号公報
【特許文献７】独国特許出願公開第３３２５０７８号明細書
【発明の概要】
【発明が解決しようとする課題】
【０００８】
本発明の目的は、先行技術の欠点を克服することであり、効率的な廃棄物処理設備を得ることである。
【課題を解決するための手段】
【０００９】
これらの目的は、請求項１による廃棄物処理設備を用いて達成される。
【００１０】
本発明の基本的な考えは、廃棄混合物の完全な燃焼を確保することに向けて、廃棄混合物の平均含水量を約５０％以下のレベルで提供するために、焼却の前の乾燥廃棄物及び含水廃棄物の運転しながらの混合と同時処理とを提供することである。
【００１１】
これは、乾燥廃棄物用の個別の第１の廃棄物受入ユニットと、含水廃棄物用の個別の第２の廃棄物受入ユニットとが設けられた船舶廃棄物処理設備を有することで、及び、乾燥廃棄物と含水廃棄物との両方を、双対廃棄物供給スクリューを含む廃棄物運搬手段へと供給することで達成され、双対廃棄物供給スクリューは、乾燥廃棄物と含水廃棄物とを、廃棄混合物の燃焼のための燃焼炉ユニットへと供給される前に前進及び混合する。この方法では、乾燥廃棄物及び含水廃棄物は、さらなる手段を用いずに、燃焼のための適切な度合いへとそれらを混合する前に、別々に保たれ得る。
【００１２】
このような廃棄物処理設備は、小さい空間を必要とし、乾燥廃棄物と含水廃棄物との両方を、廃棄物の別々の保管を必要とせずに効率的に取り扱いできるため、船舶に搭載して設置及び使用されるのに特に有利である。
【００１３】
また、乾燥廃棄物と含水廃棄物との混合が焼却炉への廃棄混合物の供給の直前に行われるため、乾燥廃棄物の大きな発熱量が保持される。これは、含水廃棄物から乾燥廃棄物への水分の吸収を防止する。この方法では、乾燥廃棄物は、含水廃棄物小片の隣で燃焼し、含水廃棄物小片からの水分の蒸発を加速させることになる。
【００１４】
廃棄物処理設備のさらなる有利な特徴が、請求項２から９までに与えられており、廃棄物を処理するための方法のさらなる有利な特徴は、請求項１０から１７までに与えられている。
【００１５】
以下では、本発明は、添付の概略的な図面を参照し、実例だけを用いて説明される。
【図面の簡単な説明】
【００１６】
【図１】本発明による廃棄物処理設備の図式的な概略を示す図である。
【図２】廃棄物運搬手段をより詳細に示す図である。
【図３】移動格子をより詳細に示す図である。
【発明を実施するための形態】
【００１７】
図１では、廃棄物処理設備が符号１によって指示されている。廃棄物処理設備１は、符号Ｖによって指示されている船舶に搭載されて設置されている。廃棄物処理設備１の主要な構成要素は、乾燥廃棄物を受け入れるためのいわゆる乾燥廃棄物サイロである第１の廃棄物受入ユニット２と、含水廃棄物を受け入れるためのいわゆる含水廃棄物サイロである第２の廃棄物受入ユニット３とを含んでいる。さらに、廃棄物処理設備１は、廃棄物運搬手段４と、移動格子７が設けられた焼却炉ユニット６とを備えている。
【００１８】
典型的には、ＩＭＯ基準に従う乾燥廃棄物は、４０％のボール紙と、３０％の他の包装及び紙と、２０％の繊維と、１０％のプラスチックとから成る。典型的には、含水廃棄物は、食品廃棄物と、最大８０％の含水量のスラッジとから成る。
【００１９】
第１の廃棄物受入ユニット２からの乾燥廃棄物は、乾燥廃棄物シュート２１を用いて廃棄物運搬手段４へと供給される。第２の廃棄物受入ユニット３からの含水廃棄物は、含水廃棄物シュート３１を用いて廃棄物運搬手段４へと供給される。したがって、乾燥廃棄物及び含水廃棄物は、それぞれ乾燥廃棄物シュート２１及び含水廃棄物シュート３１を通じて廃棄物運搬手段４へと別々に供給される。廃棄物運搬手段４は、双対のスクリューの形態で平行に配置されている双対廃棄物供給スクリュー４１を備えている。供給は、概して、廃棄物運搬手段４が混合された乾燥廃棄物及び含水廃棄物を、焼却炉ユニット６の入口６１を通じて焼却炉ユニット６へと、そして移動格子７へと供給するときに、乾燥廃棄物及び含水廃棄物の運転しながらの混合を達成するために、連続的及び同時的であるように準備される。含水廃棄物及び乾燥廃棄物の処理は、廃棄物処理設備１において同時である。
【００２０】
双対廃棄物供給スクリュー４１は、図２においてより詳細に示されている。受け入れられた乾燥廃棄物及び含水廃棄物を前へと運搬するスクリュー式の構成を有することに加えて、双対廃棄物供給スクリュー４１は特定の構成を有している。双対廃棄物供給スクリュー４１には、２つの破棄物の流れ、つまり、乾燥廃棄物シュート２１からの乾燥廃棄物の流れと含水廃棄物シュート３１からの含水廃棄物の流れとを混合することを効率的に提供するパドル（ｐａｄｄｌｅ）４２が設けられている。
【００２１】
廃棄物運搬手段４、つまり、双対廃棄物供給スクリュー４１は、例えば可変速電気駆動部といった駆動ユニット４３によって駆動される。廃棄混合物の含水量を監視するためのセンサ４４が、廃棄物運搬手段４との連結において配置されている。センサ４４は制御機構に有利に連結されており、制御機構は、さらに、第１の廃棄物受入ユニット２及び第２の廃棄物受入ユニット３からの廃棄物の供給を制御する。目的は、廃棄混合物が焼却ユニット６において効率的に燃焼することを確保するために、乾燥廃棄物と含水廃棄物とから成る廃棄混合物の平均含水量を約５０％以下のレベルに維持することである。乾燥廃棄物及び含水廃棄物の典型的な組成は、先に詳述している。
【００２２】
廃棄混合物の所望の含水量、つまり、約５０％以下のレベルが達成されない場合、又は、廃棄混合物が焼却炉ユニット６において効率的に燃焼しない場合、適切であるように燃焼するために、廃棄混合物が乾燥廃棄物によって補給されるように、追加の乾燥廃棄物が、補助的な乾燥廃棄物シュート（図示していない）によって焼却炉ユニット６の入口６１に供給されてもよい。
【００２３】
図３は、焼却炉ユニット６をより詳細に示す図である。先に詳述したように、双対廃棄物供給スクリュー４１は、混合された乾燥廃棄物及び含水廃棄物を、焼却炉ユニット６の入口６１を通じて焼却炉ユニット６へと供給する。廃棄混合物は移動格子７へと供給される。移動格子７は、階段の形態で、特定の数の格子要素７１との階段状の構成を有している。格子要素は、長手方向を持つ傾斜した階段構造を形成する下降する列で配置されている。
【００２４】
移動格子７を用いて前進移動を付与するために、好ましくは互いに格子要素である所与の数の格子要素７１は、格子要素及び移動格子の長手方向において往復して移動可能である（図３において両矢印によって指示されている）。実際には、これは、これらの移動する格子要素が格納され、それによって混合された廃棄物が次の格子要素へと落下し、前に押され、（前記次の格子要素にある）廃棄混合物を、次の段へと、つまり、次の格子要素７１へと前に押すことを意味している。次に、この動作が、入口６１から移動格子の出口に向かって、長手方向において移動格子７の全長に沿って続いていく。
【００２５】
焼却炉ユニット６における混合された乾燥廃棄物及び含水廃棄物の燃焼をなおもさらに効率的とするために、所与の数の格子要素７１には、格子要素７１の長手方向において、堆積されている混合された廃棄物へと空気を吹くための手段が設けられている。この実施例では、前記手段は、格子要素７１の前縁に、つまり、移動格子７の前方方向に、空気ノズル７２を備えている。適切な空気源をどのように提供するか、及び、ノズル７２を通じて移動する混合された廃棄物へと空気をどのように吹くかは、当業者には知られていると考えられる。廃棄混合物の燃焼から生じる燃焼ガスは、焼却炉（図示していない）からの導出物である。
【００２６】
ここに関連する図面及び記載は、本発明の基本的な考えを明確にすることだけを意図している。本発明は、この後の請求項の範囲内で、詳細において変わってもよい。
【図１】
2017510780.tif 000003
【図２】
2017510780.tif 000004
【図３】
2017510780.tif 000005
【国際調査報告】
2017510780.tif 000006
2017510780.tif 000007
2017510780.tif 000008